(57)【要約】【課題】建築用スラリー状物を、熟練を要することなく、しかも均質なものとして、機械的かつ自動的に生成できる建築用スラリー状物供給装置を提供すること。【解決手段】天端レベリング材やモルタル等の建築用スラリー状物２０となる材料２１が投入される撹拌槽１１と、この撹拌槽１１により、材料２１を吸引して撹拌槽１１内に戻す撹拌機１２とを備えたこと。【選択図】図１
2010037806.tif 000002
【特許請求の範囲】
【請求項１】
天端レベリング材やモルタル等の建築用スラリー状物となる材料が投入される撹拌槽と、この撹拌槽より、前記材料を吸引して前記撹拌槽内に戻す撹拌機とを備えたことを特徴とする建築用スラリー状物供給装置。
【請求項２】
前記撹拌機を、撹拌槽の底壁上に備えたことを特徴とする請求項１に記載の建築用スラリー状物供給装置。
【請求項３】
前記撹拌槽に取出口を設け、この取出口の外側に撹拌機を備えたことを特徴とする請求項１に記載の建築用スラリー状物供給装置。
【請求項４】
前記底壁の少なくとも一部を、前記撹拌槽の底壁上の撹拌機、または、前記取出口に向けて下方に傾斜させたことを特徴とする請求項２または請求項３に記載の建築用スラリー状物供給装置。
【請求項５】
前記撹拌槽内に、前記材料または建築用スラリー状物を受けて、当該撹拌槽内に吐出する漏斗を配置したことを特徴とする請求項１〜請求項４いずれかに記載の建築用スラリー状物供給装置。
【請求項６】
前記撹拌機の吐出口に、前記撹拌槽内への戻しを行う戻し管と、施工現場側への給送を行う供給管とを接続したことを特徴とする請求項１〜請求項５に記載の建築用スラリー状物供給装置。
【請求項７】
前記戻し管、供給管及び前記撹拌機の吐出口間に、弁を介装したことを特徴とする請求項６に記載の建築用スラリー状物供給装置。
【発明の詳細な説明】
【技術分野】
【０００１】
本発明は、天端レベリング材やモルタルのような建築用のスラリー状物を確実に生成し、また、施工場所に供給する装置に関するものである。
【背景技術】
【０００２】
建築現場においては、天端レベリング材やモルタルのような建築用のスラリー状物を使用して、基礎コンクリートなどの表面仕上げがなされている。例えば、ベタ基礎や布基礎等の基礎は、その完成後の表面が完全な水平面を有していなければならないから、従来より一般に行われていた基礎施工では、コンクリート等で大まかな基礎を形成しておいて、モルタルを使用したコテ作業による均しや、図１２に示すような、天端レベリング材の流し込みによって基礎の上面を水平状にすることがなされていた。
【０００３】
しかし、このようなコテ作業や流し込みは、非常に手間も時間も掛かるだけでなく、これらの天端レベリング材やモルタルはスラリー状になっているため、その生成箇所から施工場所への運搬や給送は困難な作業となっていた。
【０００４】
しかも、これらの天端レベリング材やモルタルのような建築用のスラリー状物は、固化や変化し易いものであるため、施工現場において生成し、生成後直ちに施工しなければならないものが多い。特に、天端レベリング材は、流し込んで水平を形成するものであるため所定の流動性が必要なものであり、この流動性は時間が経つと少なくなるから、その生成と施工は短時間内に行わなければならない。
【０００５】
以上のように、天端レベリング材やモルタルのような建築用のスラリー状物は、人の手によって生成したり給送したりすることが困難であることから、本発明者等が機械的かつ自動的に生成が行えるものがないかと種々検討したが、特にそのような要望に応えることのできる技術は存在していなかった。
【発明の開示】
【発明が解決しようとする課題】
【０００６】
そこで、本発明者等は、天端レベリング材やモルタルのような建築用のスラリー状物を、機械的かつ自動的に生成できるようにするにはどうしたらよいか、について種々検討を重ねてきた結果、本発明を完成したのである。
【０００７】
すなわち、本発明の目的とするところは、まず、建築用スラリー状物を、熟練を要することなく、しかも均質なものとして、機械的かつ自動的に生成できる建築用スラリー状物供給装置を提供することにある。
【０００８】
さらに、本発明の他に目的とするところは、均質な建築用スラリー状物を、熟練を要することなく機械的かつ自動的に生成できることは勿論のこと、生成後短時間内に施工場所への給送も行うことができる建築用スラリー状物供給装置を提供することにある。
【課題を解決するための手段】
【０００９】
以上の課題を解決するために、まず、請求項１に係る発明の採った手段は、後述する最良形態の説明中で使用する符号を付して説明すると、
「天端レベリング材やモルタル等の建築用スラリー状物２０となる材料２１が投入される撹拌槽１１と、この撹拌槽１１により、材料２１を吸引して撹拌槽１１内に戻す撹拌機１２とを備えたことを特徴とする建築用スラリー状物供給装置１０」
である。
【００１０】
すなわち、この請求項１に係る建築用スラリー状物供給装置１０は、図１〜図９に示すように、撹拌槽１１を有しているのであるが、この撹拌槽１１の内部または外部には撹拌機１２が配置してある。この撹拌機１２は、供給された水やセメント等の材料２１を吸引するとともに撹拌槽１１内に戻すことによって、材料２１を撹拌槽１１の内外で撹拌して、建築用スラリー状物２０を生成するものである。つまり、この建築用スラリー状物供給装置１０は、例えば図１及び２に示すように、まず撹拌槽１１内に水を入れておき、この水の中に建築用スラリー状物２０とすべき材料２１を撹拌槽１１内に投入しながら、撹拌機１２を作動させることにより使用されるのである。
【００１１】
つまり、撹拌槽１１内に水を入れた状態で撹拌機１２を作動させると、この撹拌機１２によって水が吸引されて、この撹拌機１２の吐出口１２ａから撹拌槽１１内に吐出される。このとき、撹拌槽１１内、つまり底壁１１ａ上にセメントや砂等の材料２１が投入してあれば、吐出された水が、これらの材料２１を撹拌機１２の下側に流し込むとともに、材料２１と混じり合うのである。
【００１２】
これらの材料２１と水とは、再び撹拌機１２によって吸引されて、吐出口１２ａから撹拌槽１１内に戻され、一定の時間これが繰り返される。この結果、水と材料２１とは、撹拌槽１１内での循環時は勿論、撹拌機１２自体による吸引や給送によって均等に混じり合い、均質な建築用スラリー状物２０が生成されるのである。そして、撹拌機１２を動かし続ければ、当該撹拌機１２による吸引や給送、及び撹拌槽１１内での循環が繰り返されるから、建築用スラリー状物２０は常に均等に混じり合った状態を維持することになって、当該建築用スラリー状物２０が不均一になったり硬化したりすることがなく、建築用スラリー状物２０の施工が常に安定した状態で行えるのである。
【００１３】
この建築用スラリー状物の生成の従来の方法では、作業者の経験と勘を頼りに手で行っていたのであるが、当該建築用スラリー状物供給装置１０を使用すれば、そのような熟練を要することなく、均質な建築用スラリー状物２０を簡単に生成できるのである。
【００１４】
以上の結果、建築用スラリー状物供給装置１０を使用すれば、均質な建築用スラリー状物２０を簡単に生成できるのである。この建築用スラリー状物２０が、基礎コンクリート３０上に水平面を形成するための「セルフレベリング材」である場合には、自らが流れて水平面を形成するための十分な「流動性」が必要なのであるが、この建築用スラリー状物供給装置１０を使用すれば、撹拌槽１１内にて生成した建築用スラリー状物２０を均等なものとして基礎コンクリート３０上に供給できるのであるから、打設された建築用スラリー状物２０に流動性の変化はなく、「セルフレベリング材」としての機能を十分発揮させ得るのである。
【００１５】
従って、この請求項１の建築用スラリー状物供給装置１０は、手作業によって生成したものに比較すれば、建築用スラリー状物２０を、機械的かつ自動的に、しかも非常に均質なものとして生成できるものとなっているのである。
【００１６】
上記課題を解決するために、請求項２に係る発明の採った手段は、上記請求項１に記載の建築用スラリー状物供給装置１０について、
「撹拌機１２を、撹拌槽１１の底壁１１ａ上に備えたこと」
である。
【００１７】
すなわち、この請求項２の建築用スラリー状物供給装置１０では、上記請求項１のそれについて、図１〜図４、及び図７〜図９に示すように、撹拌機１２を撹拌槽１１の底壁１１ａ上に備えたものであり、これにより、当該建築用スラリー状物供給装置１０の外部に撹拌機１２を大きく突出させることがなく、コンパクトな建築用スラリー状物供給装置１０とすることができるのである。
【００１８】
また、撹拌槽１１の底壁１１ａ上に撹拌機１２を備える構造とすれば、この撹拌機１２として、その底部に吸引口を有するタイプのものを採用することができて、この撹拌機１２自身が有する吸引口から、周囲にある材料２１を特別な接続管を要することなく吸引することができるのである。
【００１９】
従って、この請求項２の建築用スラリー状物供給装置１０は、上記請求項１のそれと同様な機能を発揮する他、全体の構成をコンパクトにすることができて、施工現場への運搬等を容易にし得るものとなっているのである。
【００２０】
上記課題を解決するために、請求項３に係る発明の採った手段は、上記請求項１に記載の建築用スラリー状物供給装置１０について、
「撹拌槽１１に取出口１３を設け、この取出口１３の外側に撹拌機１２を備えたこと」
である。
【００２１】
すなわち、この請求項３の建築用スラリー状物供給装置１０では、図６に示すように、底壁１１ａや側壁に取出口１３を設け、この取出口１３の外側に撹拌機１２を備えるようにしたものである。このように、底壁１１ａに取出口１３を設けて、この取出口１３の外側に撹拌機１２を設けたことによって、当該撹拌機１２を底壁１１ａ上に設置する場合に比較して、撹拌機１２の大きさや機能について制限を受けることが無くなる。つまり、少なくともこの撹拌機１２の表面の洗浄については行わなくてよいし、撹拌機１２の大きさも撹拌槽１１の容量によって制限を受けることもない。
【００２２】
勿論、撹拌槽１１の底壁１１ａに取出口１３を設けたのであるから、当該取出口１３から均質な建築用スラリー状物２０を、直ちに外部に取り出せる。そして、この取出口１３については、その下で建築用スラリー状物２０を受け取るようにしてもよいが、図６にも示すように、撹拌機１２が接続されるのであるから、この撹拌機１２の給送力をそのまま利用して、戻し管１４によって撹拌槽１１内に建築用スラリー状物２０を戻していたのを、撹拌機１２の吐出口１２ａに設けた三方弁１６によって図示しない供給管１５からホース１８側に供給するようにすれば、生成された建築用スラリー状物２０の給送を施工現場、あるいはその直近にまで行うことができて、有利となる。
【００２３】
従って、この請求項３に係る建築用スラリー状物供給装置１０は、上記請求項１のそれと同様な機能を発揮する他、撹拌機１２を撹拌槽１１外に設置することができて、撹拌機１２としての制限を少なくすることができ、しかもこの撹拌機１２を利用して建築用スラリー状物２０の取り出しを簡単に行えるものとなっている。
【００２４】
さらに、請求項４に係る発明の採った手段は、上記請求項２または請求項３に記載の建築用スラリー状物供給装置１０について、
「底壁１１ａの少なくとも一部を、撹拌槽１１の底壁１１ａ上の撹拌機１２、または、取出口１３に向けて下方に傾斜させたこと」
である。
【００２５】
すなわち、この請求項４に係る建築用スラリー状物供給装置１０は、図１〜図４、図６〜図８、あるいは図９に示すように、底壁１１ａの少なくとも一部を傾斜させたものであり、これにより、供給され、あるいは混合された材料２１を、必要箇所、つまり底壁１１ａ上の撹拌機１２、または、取出口１３に向けて流すようにしたものである。
【００２６】
図１〜図４、図６〜図８に示す例では、底壁１１ａの一部に傾斜している投入面１１ｂを形成し、この投入面１１ｂ上に供給された材料２１または建築用スラリー状物２０を図示左側に形成してある水平な収集凹所１１ｃに流し込むようにし、ここに設置してある撹拌機１２の周囲、またはこの収集凹所１１ｃに形成してある取出口１３に向けて材料２１や建築用スラリー状物２０を流し込めるようにしているのである。
【００２７】
図９に示す例では、撹拌槽１１の底壁１１ａ全体を最初から斜めにしておくことにより、この底壁１１ａを下方に傾斜させて、材料２１または建築用スラリー状物２０を撹拌機１２の周囲あるいは取出口１３に向けて流れるようにしたものである。
【００２８】
以上のように、底壁１１ａの少なくとも一部を、撹拌機１２の周囲または取出口１３に向けて下方に傾斜させることによって、撹拌槽１１内に生成された建築用スラリー状物２０の量が少なったときに、撹拌機１２または取出口１３の周囲に最後の建築用スラリー状物２０まで集中させることができるから、建築用スラリー状物２０の取り出しを最後のものまで行えることになるのである。
【００２９】
従って、この請求項４の建築用スラリー状物供給装置１０は、請求項２または請求項３のそれと同様な機能を発揮する他、最後の建築用スラリー状物２０まで取り出しが簡単に行えるものとなっているのである。
【００３０】
また、請求項５に係る発明の採った手段は、上記請求項１〜請求項４のいずれかに記載の建築用スラリー状物供給装置１０について、
「撹拌槽１１内に、材料２１または建築用スラリー状物２０を受けて、当該撹拌槽１１内に吐出する漏斗１９を配置したこと」
である。
【００３１】
すなわち、この請求項５に係る建築用スラリー状物供給装置１０は、図７及び図８に示すように、撹拌槽１１内に漏斗１９を配置したものであるが、この漏斗１９は材料２１または建築用スラリー状物２０を受けて、撹拌槽１１内、特に、底壁１１ａ上に吐出するものである。
【００３２】
一般に、材料２１の中のセメントは、水との混合が直ちになされるものではなく、ある程度掻き混ぜないと、十分馴染むことにはならないものである。つまり、セメントの「ダマ」が出来やすいのであるが、このダマが撹拌機１２に吸引されると、撹拌機１２に詰まりが発生し易くなる。また、ある程度の建築用スラリー状物２０となったものと共に材料２１を流すと、この材料２１が「塊」となって撹拌槽１１の底壁１１ａ上に溜まることにもなる。
【００３３】
この点、この請求項５の建築用スラリー状物供給装置１０では、撹拌槽１１内に漏斗１９を配置したから、建築用スラリー状物２０や材料２１等をこの漏斗１９内に投入するようにすれば、この漏斗１９内で建築用スラリー状物２０や材料２１等の乱流を発生して当該漏斗１９にてプレ混合されながら撹拌槽１１内に流下するから、上記のような「ダマ」や「塊」は発生しにくくなるのである。
【００３４】
また、この漏斗１９によって、材料２１が撹拌槽１１の、特に傾斜している投入面１１ｂ上に必ず流下するようになれば、周囲の材料２１が飛び散ることがなく、しかも流下による乱流と投入面１１ｂ自体の傾斜によって各材料２１の混合が確実になされて上述した「ダマ」の発生がない。それだけでなく、投入面１１ｂを通して撹拌機１２または取出口１３の周囲に直接的に流されて、撹拌機１２による給送または取出口１３からの取り出しが確実に行えるのである。
【００３５】
従って、この請求項５の建築用スラリー状物供給装置１０は、上記請求項１〜請求項４のそれと同様な機能を発揮する他、漏斗１９によってセメントのダマや塊を発生させにくくして、建築用スラリー状物２０を常に均質なものにするのである。
【００３６】
さらに、請求項６に係る発明の採った手段は、上記請求項１〜請求項５に記載の建築用スラリー状物供給装置１０について、
「撹拌機１２の吐出口１２ａに、撹拌槽１１内への戻しを行う戻し管１４と、前記施工現場側への給送を行う供給管１５とを接続したこと」
である。
【００３７】
すなわち、この請求項６の建築用スラリー状物供給装置１０では、図３及び図４に示すように、撹拌機１２の吐出口１２ａに戻し管１４と供給管１５とを接続したものであり、戻し管１４は、材料２１等の撹拌槽１１内への戻しを行い、供給管１５は、前記施工現場側への給送を行うものである。
【００３８】
換言すれば、この請求項６の建築用スラリー状物供給装置１０では、撹拌機１２が有している一本の吐出口１２ａに戻し管１４と供給管１５とを接続したものであり、撹拌機１２が作動していれば、これらの戻し管１４及び供給管１５からのそれぞれの場所への給送が同時に行えるのである。勿論、供給管１５の先にはホース１８が接続されているから、給送されてきた建築用スラリー状物２０を施工現場に確実に打設し得ることになるし、ホース１８の手元バルブを締めれば、建築用スラリー状物２０は戻し管１４から撹拌槽１１内に戻されることになる。
【００３９】
従って、この請求項６に係る建築用スラリー状物供給装置１０は、上記請求項１〜請求項５のそれと同様な機能を発揮する他、材料２１や建築用スラリー状物２０の戻しと施工現場側への給送とを確実に行えるものとなっているのである。
【００４０】
そして、上記課題を解決するために、請求項７に係る発明の採った手段は、上記請求項６に記載の建築用スラリー状物供給装置１０について、
「戻し管１４、供給管１５及び撹拌機１２の吐出口１２ａ間に、弁１６または１７を介装したこと」
である。
【００４１】
すなわち、この請求項７に係る建築用スラリー状物供給装置１０は、図３に示すように、戻し管１４、供給管１５及び撹拌機１２の吐出口１２ａ間に弁１６または１７、具体的には三方弁１６を介装したものであり、この三方弁１６の操作によって、撹拌機１２が給送してきた材料２１や建築用スラリー状物２０等を、戻し管１４から撹拌槽１１内へ戻すか、供給管１５からホース１８を介して施工現場に給送するかを選択することができる。勿論、開閉弁１７を採用した場合には、戻し管１４、供給管１５または撹拌機１２の吐出口１２ａのそれぞれの開閉を独立して行えることは言うまでもない。
【００４２】
従って、この請求項７に係る建築用スラリー状物供給装置１０は、上記請求項６に係るそれと同様な機能を発揮する他、弁１６によって建築用スラリー状物２０等の給送方向を簡単に選択できるのである。
【発明の効果】
【００４３】
以上、説明した通り、本発明においては、
「天端レベリング材やモルタル等の建築用スラリー状物２０となる材料２１が投入される撹拌槽１１と、この撹拌槽１１より、材料２１を吸引して撹拌槽１１内に戻す撹拌機１２とを備えたこと」
にその構成上の主たる特徴があり、これにより、
建築用スラリー状物２０を、熟練を要することなく、しかも均質なものとして、機械的かつ自動的に生成できる建築用スラリー状物供給装置１０を提供することができるのである。
【００４４】
特に、本発明の建築用スラリー状物供給装置１０が、
「撹拌機１２の吐出口１２ａに、撹拌槽１１内への戻しを行う戻し管１４と、施工現場側への給送を行う供給管１５とを接続した」
ものであれば、均質な建築用スラリー状物２０を、熟練を要することなく機械的かつ自動的に生成できることは勿論のこと、生成後短時間内に施工場所への給送も行うことができる建築用スラリー状物供給装置１０を提供することができるのである。
【発明を実施するための最良の形態】
【００４５】
次に、上記のように構成した各請求項に係る発明を、図面に示した最良の形態である建築用スラリー状物供給装置１０について説明すると、図１には、この建築用スラリー状物供給装置１０によって生成した、天端レベリング材やモルタル等の建築用スラリー状物２０をホース１８等を使用して基礎コンクリート３０上に施工している様子が示してある。この建築用スラリー状物供給装置１０は、建築用スラリー状物２０となる材料２１が投入される撹拌槽１１と、この撹拌槽１１より、材料２１を吸引して撹拌槽１１内に戻す撹拌機１２とを備えたものである。
【００４６】
この建築用スラリー状物供給装置１０は、その全体を、図１に示したような枠体によって支持して、運搬可能な構成にしてあるが、この枠体そのものは、当該建築用スラリー状物供給装置１０の必須要件ではない。また、この建築用スラリー状物供給装置１０において、材料２１の吸引や給送、そして撹拌を行う撹拌機１２は、図１〜図５に示したように、撹拌槽１１内に設置することもあるが、図６に示したように、撹拌槽１１の外側に設置することもある。
【００４７】
撹拌槽１１は、金属や合成樹脂を材料として一体的なものに形成されるものであるが、その底壁１１ａの形状は、場合に応じて種々変更される。例えば図１〜図８の撹拌槽１１については、図２にも示したように、材料２１を直接受ける投入面１１ｂと、この投入面１１ｂの下端側になる収集凹所１１ｃとを有するものとしてある。この収集凹所１１ｃ内には、図２に示したように、撹拌機１２が設置されるとともに、この収集凹所１１ｃに連通する取出口１３が形成されるものであり、これらの取出口１３や撹拌機１２の下部に向けて、水を含む材料２１または建築用スラリー状物２０が流れ込むものである。
【００４８】
この収集凹所１１ｃ内に、水を含む材料２１や建築用スラリー状物２０が流れ込めば、内部（撹拌槽１１内）設置型の撹拌機１２による吸引及び戻しが効率的になされることは当然として、これら材料２１の混合が撹拌機１２の作動中は確実になされるから、少なくとも施工現場に施工するまでの間、建築用スラリー状物２０を均質なものに維持することができる。
【００４９】
換言すれば、底壁１１ａが投入面１１ｂと収集凹所１１ｃとからなる建築用スラリー状物供給装置１０では、撹拌機１２の吸引及び戻しを効率的に行え、かつ建築用スラリー状物２０を常に均質なものにするのである。
【００５０】
一方、図９に示した底壁１１ａでは、投入面１１ｂや収集凹所１１ｃは有していないが、その全体を傾斜させたものであり、この傾斜した底壁１１ａの下方部分には、後述する取出口１３が形成してある。この底壁１１ａ全体を傾斜させるには、当該建築用スラリー状物供給装置１０の撹拌槽１１全体を枠体に対して傾斜状体で支持する（図９に示した状態）方法か、側壁は垂直になっているが、この側壁に対して底壁１１ａを傾斜状体で取り付ける方法が採用できる。
【００５１】
つまり、この建築用スラリー状物供給装置１０については、撹拌槽１１の底壁１１ａの少なくとも一部を、取出口１３に向けて下方に傾斜させたものであり、これによって、撹拌槽１１内に生成された建築用スラリー状物２０の量が少なったときに、取出口１３の周囲に最後の建築用スラリー状物２０まで集中させることができ、建築用スラリー状物２０の給送を最後のものまで行えるのである。
【００５２】
特に、本最良形態の建築用スラリー状物供給装置１０では、図２〜図４に示したように、撹拌槽１１の底壁１１ａの一部を、撹拌槽１１の上部開口１１ｄに向けて開放されるとともに、撹拌機１２の下方に向けて傾斜する投入面１１ｂとしてある。
【００５３】
すなわち、この最良形態の建築用スラリー状物供給装置１０では、撹拌槽１１の底壁１１ａの一部を投入面１１ｂとしたものであるが、この投入面１１ｂは、図３及び図４に示したように、撹拌槽１１の上部開口１１ｄから外方に向けて大きく開放されるようにしたものである。換言すれば、この投入面１１ｂ上は、図３及び図４に示したように、撹拌槽１１の上部開口１１ｄからよく見えるものとなっており、しかも、図２に示したように、撹拌機１２の下方に向けて傾斜しているものである。
【００５４】
このような投入面１１ｂを底壁１１ａに設けることによって、撹拌槽１１の上部開口１１ｄからの、水や材料２１の投入が行い易くなっている。すなわち、投入面１１ｂが撹拌槽１１の上部開口１１ｄからよく見えるため、水や材料２１の投入先である投入面１１ｂの確認が簡単に行え、撹拌機１２に水や材料２１を直接投下することにはならないことになる。これにより、撹拌機１２の保護が行えることは当然として、投入した水や材料２１を当該投入面１１ｂによって直ちに撹拌機１２の下方に流し込むことができる。
【００５５】
また、撹拌機１２から戻された水や、これと材料２１との混合物を、図２あるいは図３に示したように、当該投入面１１ｂ上に直接戻すようにすれば、この投入面１１ｂ上を撹拌機１２の下方に向けて流れる混合物の様子・状態を上部開口１１ｄから直接視認できることになる。つまり、投入面１１ｂ上を流れるものにセメントが多いか少ないかを簡単に確認できるから、セメント等の材料２１の投下量の調節（セメントを足すか、水を足すか）が簡単に行え、良好な建築用スラリー状物２０とすることができるのである。
【００５６】
一方、撹拌機１２は、図５に示したように、内部で回転する羽根を有しているものであり、この羽根が回転することにより、ストレーナスタンドに形成した穴から水や材料２１を吸引しながら混合し、この混合物を吐出口１２ａから撹拌槽１１内に吐出するものである。つまり、この撹拌機１２は、その羽根によって水や材料２１の吸引と混合を行いながら、自身の吐出口１２ａに向けて圧送するものである。
【００５７】
つまり、この建築用スラリー状物供給装置１０は、所定量の水と建築用スラリー状物２０とすべき材料２１を入れた撹拌槽１１内に設置するか、図６に示したように、底壁１１ａに設けた取出口１３に外部で接続した撹拌機１２を作動させれば、水を含む材料２１を混合しながら撹拌機１２から撹拌槽１１内に戻すとともに、これを繰り返すことによって材料２１を均等に混ぜることになり、建築用スラリー状物２０を、熟練を要することなく簡単に生成するのである。この作動中の撹拌機１２は、その吐出口１２ａから材料２１の混合物または建築用スラリー状物２０を戻し管１４や供給管１５に向けて圧送しているのである。
【００５８】
取出口１３は、図１〜図９に示したように、底壁１１ａに設けてあるが、このように、底壁１１ａに取出口１３を設けたことによって、生成された建築用スラリー状物２０自体は勿論のこと、当該建築用スラリー状物供給装置１０の撹拌槽１１内を洗浄した排水を、この取出口１３から直ちに外部に排出することができる。
【００５９】
勿論、図１〜図５に示したもののように、この取出口１３に単なるドレンパイプを接続して、この取出口１３を上記洗浄済みの排水の排水口としたり、図６に示したように、この取出口１３の外部に撹拌機１２の吸引口を接続して、当該取出口１３を撹拌機１２のための供給口とすることができるものである。なお、図２に示した例のように、取出口１３を排水口とする場合には、これに開閉弁１７を設けておけばよい。
【００６０】
そして、この建築用スラリー状物供給装置１０においては、図３または図４にも示したように、撹拌機１２の吐出口１２ａに、撹拌槽１１内への戻しを行う戻し管１４と、施工現場側への給送を行う供給管１５とを接続し、これらの戻し管１４、供給管１５及び撹拌機１２の吐出口１２ａ間に、弁１６または１７が介装してある。
【００６１】
戻し管１４は、撹拌機１２によって撹拌した、あるいは撹拌槽１１内にて循環させるべき材料２１を、文字通り再び撹拌槽１１内に戻すためのものであり、撹拌機１２の吐出口１２ａに接続されるものである。一方、供給管１５は、生成した建築用スラリー状物２０を基礎コンクリート３０上等に供給するためのものであり、その基端は撹拌機１２側に接続され、先端は直接基礎コンクリート３０上に引き出されるか、基礎コンクリート３０上にまで届くホース１８に接続される。
【００６２】
これらの戻し管１４及び供給管１５は、図３または図４に示したように、三方弁１６や開閉弁１７を利用して、同時に撹拌機１２側の一つの吐出口１２ａに接続してある。図３に示した例では、これら両戻し管１４及び供給管１５を一つの三方弁１６を介して撹拌機１２の吐出口１２ａに接続しており、図４に示した例では、これら両戻し管１４及び供給管１５を一つの三方弁１６を介して撹拌機１２の吐出口１２ａに接続するとともに、戻し管１４及び供給管１５のそれぞれに開閉弁１７を介装するようにしているものである。
【００６３】
換言すれば、この建築用スラリー状物供給装置１０については、戻し管１４、供給管１５及び撹拌機１２の吐出口１２ａ間に、弁１６または１７を介装したものであり、例えば図３に示した例では、三方弁１６の操作によって、撹拌機１２が給送してきた材料２１や建築用スラリー状物２０等を、戻し管１４から撹拌槽１１内へ戻すか、供給管１５からホース１８を介して施工現場に給送するかを選択することができるようにしているのである。
【００６４】
図４に示した例では、戻し管１４及び供給管１５に、それぞれ開閉弁１７を介装したものであり、これらの開閉弁１７を別個独立して操作することによって、撹拌機１２が給送してきた材料２１や建築用スラリー状物２０等を、戻し管１４から撹拌槽１１内へ戻すか、供給管１５からホース１８を介して施工現場に給送するか、それとも両方を停止したり給送可能にしたりしたものである。
【００６５】
この開閉弁１７を採用した場合には、三方弁１６の場合とは異なって、戻し管１４及び供給管１５の両方へ同時に給送できる場合が増加するから、その場合には、ホース１８の手元バルブの開閉による撹拌機１２側への負荷を、戻し管１４側への給送を許容することによって軽減できることになり、開閉弁１７によって建築用スラリー状物２０等の給送時における撹拌機１２の負荷を軽減できる。
【００６６】
そして、図７及び図８に示した建築用スラリー状物供給装置１０では、撹拌槽１１内に、材料２１または建築用スラリー状物２０を受けて底壁１１ａ上に吐出する漏斗１９が配置してあるが、この漏斗１９は、投入された材料２１または建築用スラリー状物２０を受けて、その吐出口１９ａから底壁１１ａ上に吐出するものである。
【００６７】
一般に、材料２１の中のセメントは、水との混合が直ちになされるものではなく、ある程度掻き混ぜないと、十分馴染むことにはならないものである。つまり、セメントの「ダマ」が出来やすいのであるが、このダマが撹拌機１２に吸引されると、撹拌機１２に詰まりが発生し易くなる。また、ある程度の建築用スラリー状物２０となったものと共に材料２１を流すと、この材料２１が「塊」となって撹拌槽１１の底壁１１ａ上に溜まることにもなる。
【００６８】
この点、この図７及び図８に示した建築用スラリー状物供給装置１０では、撹拌槽１１内に漏斗１９を配置したから、建築用スラリー状物２０や材料２１等をこの漏斗１９内に投入するようにすれば、この漏斗１９内で建築用スラリー状物２０や材料２１等の乱流を発生して当該漏斗１９にてプレ混合されながら撹拌槽１１内に流下するから、上記のような「ダマ」や「塊」は発生しにくくなるのである。
【００６９】
さて、本発明に係る建築用スラリー状物供給装置１０によって建築用スラリー状物２０が生成できた後には、撹拌機１２の吐出口１２ａ側に接続したホース１８によって、建築用スラリー状物２０は、例えば図１に示す基礎コンクリート３０上に零れ出ることなく供給され、建築用スラリー状物供給装置１０から基礎コンクリート３０上に効率良く供給される。
【００７０】
つまり、従来では、図１２に示すように、できた建築用スラリー状物２０を基礎コンクリート３０上に手作業で打設するようにしていたため、打設先にある邪魔物を避けたり垂れ落ちないように注意を払わなければならなかったのであるが、本発明に係る建築用スラリー状物供給装置１０では、ホース１８の先を打設先に移動させるだけで簡単に供給でき、建築用スラリー状物２０が垂れ落ちることもないのである。
【００７１】
また、この建築用スラリー状物供給装置１０を使用すれば、建築用スラリー状物２０は、生成された後直ちに打設場所に供給できるから、その流動性に変化を生ずることはない。この建築用スラリー状物２０が、基礎コンクリート３０上に水平面を形成するための「セルフレベリング材」である場合には、自らが流れて水平面を形成するための十分な「流動性」が必要なのであるが、この建築用スラリー状物供給装置１０を使用すれば、撹拌槽１１内にて生成した建築用スラリー状物２０を硬化する前に直ちにホース１８によって基礎コンクリート３０上に供給できるのであるから、打設された建築用スラリー状物２０に流動性の変化はなく、「セルフレベリング材」としての機能を十分発揮させ得るのである。
【００７２】
以上のような建築用スラリー状物２０の生成と施工場所への供給（打設）が終了すれば、この建築用スラリー状物２０を構成している撹拌槽１１、撹拌機１２及びホース１８内を洗浄しなければならないが、その場合には、撹拌槽１１内に水を入れて撹拌機１２を作動させれば、これらの各部の洗浄は簡単に行える。入れた水は、撹拌機１２によって撹拌槽１１内に戻されるから、撹拌槽１１内の洗浄が行なわれるからである。なお、撹拌槽１１内を洗浄した水は、取出口１３から排水すればよい。
【００７３】
図１０及び図１１には、本発明に係る建築用スラリー状物供給装置１０の他の実施例が示してある。これらの図１０及び図１１に示した建築用スラリー状物供給装置１０で、前述した実施例において使用しているのと同じ機能を有する部材については、図面中に同一符号を付してその説明は省略する。
【００７４】
この実施例で使用している撹拌機１２は、その吐出口１２ａが、図１１に示したように、撹拌槽１１内の上部に突出するタイプのものを採用したもので、この吐出口１２ａの先端は、撹拌槽１１を通して外に出されて、戻し管１４の途中に接続してある。一方、漏斗１９は、撹拌槽１１の上端に載置されており、この漏斗１９内に、上記戻し管１４の先端を開口させてある。なお、この漏斗１９の吐出口１９ａは、当該漏斗１９の底部から撹拌槽１１内に延び、その下端は、撹拌槽１１の投入面１１ｂに向けて開口させてある。
【００７５】
この図１０及び図１１に示した建築用スラリー状物供給装置１０では、まず材料の一つである水を漏斗１９内に流し込み、撹拌機１２で汲み上げできる量まで撹拌槽１１内に投入する。そして、図１１の図示左側の開閉弁１７を閉じるとともに、図示右側の開閉弁１７を開いて撹拌機を作動させる。そうすると、水が戻し管１４を介して撹拌槽１１と漏斗１９との間を循環することになる。そこで、この水が循環している漏斗１９内にセメントなどの他の材料を投入することにより、ダマを生ずることなく建築用スラリー状物２０が形成されていく。
【００７６】
適宜粘性と十分な量の建築用スラリー状物２０が完成すれば、今度は、図１１の図示右側に示した開閉弁１７を閉じ、左側のそれを開いて、建築用スラリー状物２０を撹拌機１１のポンプ力によって供給管１５を送るようにする。この供給管１５から先のことは図１に示した通りであり、その詳細な説明は省略する。
【図面の簡単な説明】
【００７７】
【図１】本発明に係る建築用スラリー状物供給装置によって基礎コンクリート上に建築用スラリー状物を施工している様子を示す説明斜視図である。
【図２】図１に示した建築用スラリー状物供給装置の拡大断面図である。
【図３】同建築用スラリー状物供給装置の三方弁のみを使用した場合の平面図である。
【図４】同建築用スラリー状物供給装置の三方弁及び開閉弁を使用した場合の平面図である。
【図５】同建築用スラリー状物供給装置において採用した撹拌機の部分破断拡大正面図である。
【図６】撹拌機を撹拌槽の外側に接続した例を示す拡大縦断面図である。
【図７】撹拌槽内に漏斗を設けた建築用スラリー状物供給装置の拡大縦断面図である。
【図８】同平面図である。
【図９】撹拌槽の底壁を傾斜させた例を示す拡大縦断面図である。
【図１０】本発明に係る建築用スラリー状物供給装置の他の実施例を示す斜視図である。
【図１１】同建築用スラリー状物供給装置の縦断面図である。
【図１２】従来技術を示す斜視図である。
【符号の説明】
【００７８】
１０    建築用スラリー状物供給装置
１１    撹拌槽
１１ａ  底壁
１１ｂ  投入面
１１ｃ  収集凹所
１１ｄ  上部開口
１２    撹拌機
１２ａ  吐出口
１３    取出口
１４    戻し管
１５    供給管
１６    三方弁
１７    開閉弁
１８    ホース
１９    漏斗
１９ａ  吐出口
２０    建築用スラリー状物
２１    材料
３０    基礎コンクリート
【図１】
2010037806.tif 000003
【図２】
2010037806.tif 000004
【図３】
2010037806.tif 000005
【図４】
2010037806.tif 000006
【図５】
2010037806.tif 000007
【図６】
2010037806.tif 000008
【図７】
2010037806.tif 000009
【図８】
2010037806.tif 000010
【図９】
2010037806.tif 000011
【図１０】
2010037806.tif 000012
【図１１】
2010037806.tif 000013
【図１２】
2010037806.tif 000014